(57)【要約】【課題】  設定の内容の変更を行う際に、操作性がよく、配置のために新たなスペースや部品を必要としない操作部材を備えるカメラを提供する。【解決手段】  ユーザにより設定の内容の変更が可能なカメラであって、被写体の光学的な像を形成する撮影光学系を保持するレンズ鏡筒４６と、撮影光学系により形成される被写体の光学的な像を電気的な画像信号に変換可能な撮像センサ１６とを含む撮像装置ＴＬと、マイクロコンピュータ４９とを備える。レンズ鏡筒４６は、撮影光学系の光軸に同軸の円筒状であり、ユーザにより手動で回転操作が可能である絞りリング４０と、絞りリング４０の回転角度に応じた信号を出力する絞りリニアセンサ４１とを有する。マイクロコンピュータ４９は、絞りリニアセンサ４１から出力される信号に基づいて、設定の内容を変更すべき項目を選択する。【選択図】  図１１ 
2005292325.tif 000002
【特許請求の範囲】
【請求項１】
ユーザにより設定の内容の変更が可能なカメラであって、
被写体の光学的な像を形成する撮影光学系を保持するレンズ鏡筒と、前記撮影光学系により形成される前記被写体の光学的な像を電気的な画像信号に変換可能な撮像センサとを含む撮像装置と、
制御手段とを備え、
前記レンズ鏡筒は、
前記撮影光学系の光軸に同軸の円筒状であり、ユーザにより手動で回転操作が可能である第１の操作部材と、
前記第１の操作部材の回転角度に応じた信号を出力する回転角度検知手段とを有し、
前記制御手段は、前記回転角度検知手段から出力される信号に基づいて、前記設定の内容を変更すべき項目を選択する、カメラ。
【請求項２】
設定の内容を変更すべき前記項目を、ユーザへ提示する提示手段を備える、請求項１に記載のカメラ。
【請求項３】
前記提示手段は、表示装置である、請求項２に記載のカメラ。
【請求項４】
前記制御手段により選択された前記項目の内容を、変更するために操作される第２の操作部材を備える、請求項１に記載のカメラ。
【請求項５】
前記ユーザによる前記設定の内容の変更を、許可するために操作される第３の操作部材を備える、請求項１に記載のカメラ。
【請求項６】
新たな前記電気的な画像信号を取得する撮影モードにするために操作される第４の操作部材を備え、
前記撮影モードにおいて、前記第３の操作部材により、前記ユーザによる前記設定の内容の変更が許可されている場合、前記制御手段は、前記回転角度検知手段からの出力に基づいて、撮影に関する前記項目の選択を行う、請求項５に記載のカメラ。
【請求項７】
新たな前記電気的な画像信号を取得する撮影モードにするために操作される第４の操作部材を備え、
前記撮影モードにおいて、前記第３の操作部材により、前記ユーザによる前記設定の内容の変更が許可されていない場合、前記制御手段は、前記回転角度検知手段からの出力に基づいて、前記撮影光学系の焦点距離と、前記撮影光学系の絞り値と、前記撮影光学系の物体距離との内のいずれか一つを変更する、請求項５に記載のカメラ。
【請求項８】
予め取得された前記画像信号を再生する再生モードにするために操作される第４の操作部材を備え、
前記再生モードにおいて、前記第３の操作部材により、前記ユーザによる前記設定の内容の変更が許可されている場合、前記制御手段は、前記回転角度検知手段からの出力に基づいて、再生に関する前記項目の選択を行う、請求項５に記載のカメラ。
【請求項９】
ユーザによる登録に基づいて前記制御手段により選択される前記項目を格納する記憶手段を備える、請求項１に記載のカメラ。
【請求項１０】
前記記憶手段は、一の回転角度に対して複数の前記項目を格納する、請求項９に記載のカメラ。
【請求項１１】
前記第１の操作部材は、所定の回転角度で離散的に固定される、請求項１に記載のカメラ。
【請求項１２】
前記第１の操作部材は、所定の回転角度でロック可能であり、当該ロックを解除するための第５の操作部材を含む、請求項１に記載のカメラ。
【請求項１３】
ユーザにより設定の内容の変更が可能な制御装置に接続されて用いられる撮像装置であって、
被写体の光学的な像を形成する撮影光学系を保持するレンズ鏡筒と、
前記撮影光学系により形成される前記被写体の光学的な像を電気的な画像信号に変換可能な撮像センサとを備え、
前記レンズ鏡筒は、
前記撮影光学系の光軸に同軸の円筒状であり、ユーザにより手動で回転操作が可能である第１の操作部材と、
前記第１の操作部材の回転角度に応じた信号を出力する回転角度検知手段とを含み、
前記回転角度検知手段からの出力に基づいて、接続される前記制御装置の内容を変更すべき設定の前記項目を選択可能である、撮像装置。
【請求項１４】
ユーザにより設定の内容の変更が可能なカメラ本体に接続されて用いられるレンズ鏡筒であって、
被写体の光学的な像を形成する撮影光学系と、
前記撮影光学系の光軸に同軸の円筒状であり、ユーザにより手動で回転操作が可能である第１の操作部材と、
前記第１の操作部材の回転角度に応じた信号を出力する回転角度検知手段とを備え、
前記カメラ本体は、
前記撮影光学系により形成される被写体の光学的な像を電気的な画像信号に変換可能な撮像センサと、
外部から入力される信号に基づいて制御される制御手段とを備え、
前記回転角度検知手段からの出力を、前記制御手段に入力させることにより、前記制御手段に前記設定の内容を変更すべき前記項目を選択させる、レンズ鏡筒。
【請求項１５】
レンズ鏡筒と接続して用いられ、ユーザにより設定の内容の変更が可能なカメラ本体であって、
前記レンズ鏡筒は、
被写体の光学的な像を形成する撮影光学系と、
前記撮影光学系の光軸に同軸の円筒状であり、ユーザにより手動で回転操作が可能である第１の操作部材と、
前記第１の操作部材の回転角度に応じた信号を出力する回転角度検知手段とを備え、
前記カメラ本体は、
前記撮影光学系により形成される被写体の光学的な像を電気的な画像信号に変換可能な撮像センサと、
前記回転角度検知手段からの出力を受付け、当該出力に基づいて前記制御手段に前記設定の内容を変更すべき前記項目を選択する制御手段とを備える、カメラ本体。
【発明の詳細な説明】
【技術分野】
【０００１】
本発明は、カメラに関し、特定的には、ユーザにより設定の内容の変更が可能なカメラに関する。また、本発明は、制御装置に接続される撮像装置に関し、特定的には、ユーザにより設定の内容の変更が可能な制御装置に接続される撮像装置に関する。さらに、本発明は、カメラ本体及びそのカメラ本体に接続されるレンズ鏡筒に関し、特定的には、ユーザにより設定の内容の変更が可能なカメラ本体と、そのカメラ本体に接続されるレンズ鏡筒に関する。
【背景技術】
【０００２】
近年、被写体の光学的な像を電気的な画像信号に変換して出力可能なデジタルスチルカメラやデジタルビデオカメラ（以下、単にデジタルカメラという）が、急速に普及している。デジタルカメラについては、オートフォーカスのハイスピード化や本体の小型軽量化等を主眼としたフルオートモデルと、フォーカシングのマニュアル操作を行うフォーカスリングや露出設定のマニュアル操作を行う絞りリング等を備えたハイエンドモデルとに大別される。最近では、デジタルカメラにより撮影される画像の品質が向上してきたため、自分で操作できる喜びを享受できるハイエンドモデルの人気も高まりつつある。
【０００３】
一般的に、デジタルカメラは、表示装置として液晶モニタＬＣＤを持つ。デジタルカメラは、本体に設けられた操作部材により、項目ごとに設定の内容の変更を受け付ける設定モード画像を液晶モニタに表示させている。ここで、設定の項目とは、例えば、撮影モードにおけるホワイトバランスの設定、記録画素数の設定等であり、再生モードにおける画像のプロテクト設定、プリント枚数などの情報をカードに書き込むＤＰＯＦの設定等を意味する。
【０００４】
ユーザは、設定モード画像が液晶モニタに表示されると、先に操作した操作部材と同一あるいは別の操作部材を操作して設定の項目を選択し、その設定の内容を入力する。例えば、特許文献１は、十字操作キーを備えるデジタルカメラを開示している。特許文献１に開示されたデジタルカメラは、ユーザがモードボタンを操作することにより、撮影又は再生モードの設定メニュー画面を表示する。特許文献１に開示されたデジタルカメラは、ユーザが、十字操作キーを操作することにより、撮影又は再生モードの設定メニュー画面に表示された項目から、設定の内容を変更すべき項目を選択して、設定の内容を変更している。
【特許文献１】特開平１１−２８４８８４号公報
【発明の開示】
【発明が解決しようとする課題】
【０００５】
特許文献１に開示されたデジタルカメラは、ユーザが十字操作キーを操作して、変更すべき設定の項目を選択している。そして、特許文献１に開示されたデジタルカメラは、設定メニュー画面から変更すべき設定の項目を選択する際、ユーザが、十字操作キーにより項目に対応するアイコンを１個ずつスクロールする必要があった。
【０００６】
このため、特許文献１に開示されたデジタルカメラは、変更が可能な設定の項目が多数ある場合、ユーザが頻繁に使用する所定のアイコンを表示させるために、十字操作キーを頻繁に操作しなければならなかった。特に、ハイエンドモデルのデジタルカメラは、高機能を有しているので、ユーザにより変更が可能な設定の項目が極めて多数あり、ユーザがとっさに特定の設定の項目について内容を変更したい場合、時間及び手間がかかり、操作性が悪いという課題を有していた。
【０００７】
また、所定の設定の項目を設定メニュー画面にダイレクトに表示するように、デジタルカメラに専用の操作部材を配置することも考えられる。しかしながら、専用の操作部材を配置するために、デジタルカメラにスペースを設けなければならなかった。また、専用の操作部材は、部品点数を増加させるという課題もあった。
【０００８】
本発明の第１の目的は、設定の内容の変更を行う際に、操作性がよく、配置のために新たなスペースや部品を必要としない操作部材を備えるカメラを提供することである。
【０００９】
また、本発明の第２の目的は、操作性がよく、配置のために新たなスペースや部品を必要としない操作部材を備え、当該操作部材を操作することにより接続される制御装置の設定の内容の変更を行うことができる撮像装置を提供することである。
【００１０】
また、本発明の第３の目的は、操作性がよく、配置のために新たなスペースや部品を必要としない操作部材を備え、当該操作部材を操作することにより接続されるカメラ本体の設定の内容の変更を行うことができるレンズ鏡筒、及びそのレンズ鏡筒に接続されるカメラ本体を提供することである。
【課題を解決するための手段】
【００１１】
上記第１の目的は、以下のカメラにより達成される。
ユーザにより設定の内容の変更が可能なカメラであって、被写体の光学的な像を形成する撮影光学系を保持するレンズ鏡筒と、撮影光学系により形成される被写体の光学的な像を電気的な画像信号に変換可能な撮像センサとを含む撮像装置と、制御手段とを備え、レンズ鏡筒は、撮影光学系の光軸に同軸の円筒状であり、ユーザにより手動で回転操作が可能である第１の操作部材と、第１の操作部材の回転角度に応じた信号を出力する回転角度検知手段とを有し、制御手段は、回転角度検知手段から出力される信号に基づいて、設定の内容を変更すべき項目を選択する。
本発明は、以上の構成を備えているので、ユーザが手動で第１の操作部材を回転操作することにより、設定の内容を変更すべき項目を選択することができる。したがって、カメラに配置のために新たなスペースや部品を必要とすることがない。また、本発明は、第１の操作部材がレンズ鏡筒に設けられているので、ユーザの操作性がよい。
【００１２】
好ましくは、設定の内容を変更すべき項目を、ユーザへ提示する提示手段を備える。一例として、提示手段は、表示装置であることが望ましい。
本発明は、以上の構成を備えているので、ユーザは第１の操作部材を回転操作する際に、提示手段により提示された項目を確認しながら操作することができる。したがって、第１の操作部材の操作を確実に行うことができる。
【００１３】
また、好ましくは、制御手段により選択された項目の内容を、変更するために操作される第２の操作部材を備える。
本発明は、以上の構成を備えているので、ユーザは第１の操作部材の回転操作により選択された設定の項目の内容を、第２の操作部材により変更することができる。
【００１４】
好ましくは、ユーザによる設定の内容の変更を、入力するために操作される第３の操作部材を備える。
本発明は、以上の構成を備えているので、ユーザが第３の操作部材を操作に応じて、第１の操作部材の回転操作による設定の項目の選択が許可される。したがって、第１の操作部材の意図しない回転操作により設定の項目が選択されることを防止できるとともに、第１の操作部材を他の操作のために用いることができる。
【００１５】
一例として、新たな電気的な画像信号を取得する撮影モードにするために操作される第４の操作部材を備え、撮影モードにおいて、第３の操作部材により、ユーザによる設定の内容の変更が許可されている場合、制御手段は、回転角度検知手段からの出力に基づいて、撮影に関する項目の選択を行う。
本発明は、以上の構成を備えているので、ユーザが撮影モードにおいて、第１の操作部材を回転操作すると、撮影モードに直接関連する撮影に関する項目を選択することができる。
【００１６】
また、他の例として、新たな電気的な画像信号を取得する撮影モードにするために操作される第４の操作部材を備え、撮影モードにおいて、第３の操作部材により、ユーザによる前記設定の内容の変更が許可されていない場合、制御手段は、回転角度検知手段からの出力に基づいて、撮影光学系の焦点距離と、撮影光学系の絞り値と、撮影光学系の物体距離との内のいずれか一つを変更する。
本発明は、以上の構成を備えているので、ユーザは、第１の操作部材を、いわゆるズームリング、絞りリング、フォーカスリングのいずれかとして機能させることができる。
【００１７】
また、他の例として、予め取得された前記画像信号を再生する再生モードにするために操作される第４の操作部材を備え、再生モードにおいて、第３の操作部材により、ユーザによる前記設定の内容の変更が許可されている場合、制御手段は、回転角度検知手段からの出力に基づいて、再生に関する前記項目の選択を行う。
本発明は、以上の構成を備えているので、ユーザが再生モードにおいて第３の操作部材を操作すると、第１の操作部材の回転操作により、再生モードに直接関連する再生に関する項目を選択することができる。
【００１８】
好ましくは、ユーザによる登録に基づいて制御手段により選択される項目を格納する記憶手段を備える。
本発明は、以上の構成を備えているので、設定される項目をユーザによりカスタマイズすることができる。したがって、ユーザが個人的に頻繁に設定の内容の変更を行うべき項目を瞬時に選択することができる。
【００１９】
一例として、記憶手段は、一の回転角度に対して複数の項目を格納する。
本発明は、以上の構成を備えているので、複数の設定される項目をカスタマイズすることができる。したがって、各ユーザが個人的に頻繁に設定の内容の変更を行うべき項目をそれぞれ瞬時に選択することができる。また、状況に応じて設定の内容の変更を行うべき項目を変更することができる。
【００２０】
好ましくは、第１の操作部材は、所定の回転角度で離散的に固定される。また、好ましくは、第１の操作部材は、所定の回転角度でロック可能であり、当該ロックを解除するための第５の操作部材を含む。
【００２１】
上記第２の目的は、以下の撮像装置により達成される。
ユーザにより設定の内容の変更が可能な制御装置に接続されて用いられる撮像装置であって、被写体の光学的な像を形成する撮影光学系を保持するレンズ鏡筒と、撮影光学系により形成される被写体の光学的な像を電気的な画像信号に変換可能な撮像センサとを備え、レンズ鏡筒は、撮影光学系の光軸に同軸の円筒状であり、ユーザにより手動で回転操作が可能である第１の操作部材と、第１の操作部材の回転角度に応じた信号を出力する回転角度検知手段とを含み、回転角度検知手段からの出力に基づいて、接続される制御装置の内容を変更すべき設定の項目を選択可能である。
本発明は、以上の構成を備えているので、ユーザが手動でレンズ鏡筒に含まれる第１の操作部材を回転操作することにより、制御装置の設定の内容を変更すべき項目を選択することができる。したがって、制御装置に操作部材の配置のために新たなスペースや部品を必要とすることがない。また、本発明は、第１の操作部材がレンズ鏡筒に設けられているので、ユーザの操作性がよい。
【００２２】
上記第３の目的は、以下のレンズ鏡筒により達成される。
ユーザにより設定の内容の変更が可能なカメラ本体に接続されて用いられるレンズ鏡筒であって、被写体の光学的な像を形成する撮影光学系と、撮影光学系の光軸に同軸の円筒状であり、ユーザにより手動で回転操作が可能である第１の操作部材と、第１の操作部材の回転角度に応じた信号を出力する回転角度検知手段とを備え、カメラ本体は、撮影光学系により形成される被写体の光学的な像を電気的な画像信号に変換可能な撮像センサと、外部から入力される信号に基づいて制御される制御手段とを備え、回転角度検知手段からの出力を、制御手段に入力させることにより、制御手段に設定の内容を変更すべき項目を選択させる。
本発明は、以上の構成を備えているので、ユーザが手動でレンズ鏡筒に含まれる第１の操作部材を回転操作することにより、カメラ本体の設定の内容を変更すべき項目を選択することができる。したがって、カメラ本体に操作部材の配置のために新たなスペースや部品を必要とすることがない。また、本発明は、第１の操作部材がレンズ鏡筒に設けられているので、ユーザの操作性がよい。
【００２３】
上記第３の目的は、以下のカメラ本体により達成される。
レンズ鏡筒と接続して用いられ、ユーザにより設定の内容の変更が可能なカメラ本体であって、レンズ鏡筒は、被写体の光学的な像を形成する撮影光学系と、撮影光学系の光軸に同軸の円筒状であり、ユーザにより手動で回転操作が可能である第１の操作部材と、第１の操作部材の回転角度に応じた信号を出力する回転角度検知手段とを備え、カメラ本体は、撮影光学系により形成される被写体の光学的な像を電気的な画像信号に変換可能な撮像センサと、回転角度検知手段からの出力を受付け、当該出力に基づいて制御手段に設定の内容を変更すべき項目を選択する制御手段とを備える。
本発明は、以上の構成を備えているので、ユーザが手動でレンズ鏡筒に含まれる第１の操作部材を回転操作することにより、カメラ本体の設定の内容を変更すべき項目を選択することができる。したがって、カメラ本体に操作部材の配置のために新たなスペースや部品を必要とすることがない。また、本発明は、第１の操作部材がレンズ鏡筒に設けられているので、ユーザの操作性がよい。
【発明の効果】
【００２４】
本発明によれば、設定の内容の変更を行う際に、操作性がよく、配置のために新たなスペースや部品を必要としない操作部材を備えるカメラを提供することができる。
【００２５】
また、本発明によれば、操作性がよく、配置のために新たなスペースや部品を必要としない操作部材を備え、当該操作部材を操作することにより接続される制御装置の設定の内容の変更を行うことができる撮像装置を提供することができる。
【００２６】
また、本発明によれば、操作性がよく、配置のために新たなスペースや部品を必要としない操作部材を備え、当該操作部材を操作することにより接続されるカメラ本体の設定の内容の変更を行うことができるレンズ鏡筒、及びそのレンズ鏡筒に接続されるカメラ本体を提供することができる。
【発明を実施するための最良の形態】
【００２７】
（実施の形態１）
図１は、本発明の実施の形態１に係るデジタルカメラ１の上面図である。デジタルカメラ１は、概略、撮像装置ＴＬと、本体ＢＤとを備える。なお、実施の形態のすべての説明において、撮影光学系Ｌの光軸ＡＸを基準に座標系を定める。すなわち、撮影光学系Ｌの光軸ＡＸに平行な方向をｚ方向とし、このｚ方向に垂直で図１の上面図に平行な面に含まれる方向をｘ方向とする。また、ｚ方向及びｘ方向の両方向に垂直な方向をｙ方向とする。このｘｙｚ座標系は、３次元直交座標系である。
【００２８】
本体ＢＤは、被写体を撮影する際に撮影者により支持される筐体である。本体ＢＤは、シャッターボタン６３と、シャッタースピード設定ダイヤル６４とを含む。シャッターボタン６３と、シャッタースピード設定ダイヤル６４とは、本体ＢＤの上面の右側に設けられている。
【００２９】
シャッタースピード設定ダイヤル６４は、回転操作することにより、シャッタースピードの設定を行う操作部材である。また、シャッタースピード設定ダイヤル６４は、シャッタースピードが自動設定されるオートの位置を有する。
【００３０】
また、本体ＢＤは、液晶モニタＬＣＤと、スピーカＳＰとを含む。液晶モニタＬＣＤと、スピーカＳＰとは、本体ＢＤの撮影者側の面に設けられている。液晶モニタＬＣＤ及びスピーカＳＰの作用については後述する。
【００３１】
撮像装置ＴＬは、レンズ鏡筒４６と、撮像センサ１６とを含む。レンズ鏡筒４６は、内部に後述する撮影光学系Ｌを保持する。撮像センサ１６は、ＣＣＤである。撮像センサ１６は、撮影光学系Ｌが形成する光学的な像を電気的な画像信号に変換する。
【００３２】
レンズ鏡筒４６は、最も被写体側に、フィルタマウント２９を持つ。レンズ鏡筒４６は、フィルタマウント２９から本体ＢＤ側へ（ｚ軸の負の方向）向けて順に、ズームリング２６と、フォーカスリング３２と、絞りリング４０とを有する。ズームリング２６と、フォーカスリング３２と、絞りリング４０とは、いずれも円筒状の回転操作部材であり、レンズ鏡筒４６の外周面において回転可能に配置されている。
【００３３】
図２は、本発明の実施の形態１に係るデジタルカメラ１の背面図である。本体ＢＤは、電源ボタン７０、撮影／再生モード切り替えレバー７１、ＭＥＮＵボタン７２、十字操作キー７３、およびＳＥＴボタン７４とを含む。
【００３４】
電源ボタン７０は、デジタルカメラ１の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、デジタルカメラ１において、被写体を新たに撮影して画像信号にするために設定されるモードである。また、再生モードとは、デジタルカメラ１において、既に撮影して格納されている画像信号を表示するために設定されるモードである。
【００３５】
ＭＥＮＵボタン７２は、液晶モニタＬＣＤに、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
【００３６】
絞りリング４０は、円筒形状である。図３（ａ）は、本発明の実施の形態１に係る絞りリングの外周面の展開図、図３（ｂ）は、本発明の実施の形態１に係る絞りリングの内周面の展開図である。
【００３７】
図１、図３（ａ）において、絞りリング４０は、外周面に絞り値を表示する。絞り値の表示領域は２つの領域に分かれている。図３（ａ）中、［２］から［１１］までの１ＡＶごとの表示部分がマニュアル領域に対応する。また、図３（ａ）中、［Ａ］の表示部分がオート領域に対応する。図１、図３（ｂ）において、絞りリング４０は、内周面に直線のカム溝４２を持つ。
【００３８】
図４は、本発明の実施の形態１に係るレンズ鏡筒の断面図である。レンズ鏡筒４６は、外周側に、絞りリング４０と、フォーカスリング３２と、ズームリング２６とを、回転操作可能に保持する。絞りリング４０と、フォーカスリング３２とは、円筒形状を有するリング固定枠３６に保持される。絞りリング４０の内周面は、リング固定枠３６の摺動面３６ｅと嵌め合い保持される。絞りリング４０は、内周に設けた３つの凸部４０ｂ（図示せず）と、リング固定枠３６の外周に設けた３つの凹部３６ｆとが結合して、光軸ＡＸに平行な方向（ｚ軸の方向）を規制する。この構成により、絞りリング４０は、光軸ＡＸまわりに回転可能に保持される。また、リング固定枠３６は、絞りリニアセンサ４１を固定する。
【００３９】
また、レンズ鏡筒は、内部に絞りユニット２２を有する。絞りユニット２２は、内部に絞り羽根を駆動するための絞り駆動モータ２２ｂを含む。絞り駆動モータ２２ｂは、後述する制御により、絞りリング４０の回転角度に応じて絞り羽根を駆動する。絞り羽根が駆動されることにより、撮影光学系Ｌの絞り値が変更される。
【００４０】
図５は、本発明の実施の形態１に係る絞りリングと絞りリニアセンサの結合を示す断面図である。図５において、絞りリニアセンサ４１は、外周方向に突出する円筒形状の摺動子４１ａを含む。絞りリング４０に形成されたカム溝４２は、絞りリニアセンサ４１の摺動子４１ａと結合する。
【００４１】
この絞りリニアセンサ４１の回路構成は、図６（ａ）に示すように可変抵抗器であり、端子１，３間に所定の電圧を印可すると、絞りリニアセンサ４１に設けられた円筒状の摺動子４１ａが、磁気抵抗体（図示せず）上をスライドすることにより、端子２の出力は図６（ｂ）に示すようにリニアに変化する。
【００４２】
図７は、本発明の実施の形態１に係る絞りリングの回転角度と絞りリニアセンサの出力値の関係を示すグラフである。図１、図３において、絞りリング４０上に表示された文字［２］が、指標３３と一致する角度に位置する場合、絞りリニアセンサ４１の摺動子４１ａは、カム溝４２上のＰの位置にある。その場合、絞りリニアセンサ４１の出力値は、Ｐ‘となる。
【００４３】
絞りリング４０上に表示された文字［２．８］が、指標３３と一致する角度に位置する場合、絞りリニアセンサ４１の摺動子４１ａは、カム溝４２上のＱの位置にある。その場合、絞りリニアセンサ４１の出力値は、Ｑ‘となる。同様に、絞りリング４０上に表示された文字［４］が、指標３３と一致する角度に位置する場合、絞りリニアセンサ４１の摺動子４１ａは、カム溝４２上のＲの位置にある。その場合、絞りリニアセンサ４１の出力値は、Ｒ‘となる。同様に、絞りリング４０上に表示された文字［５．６］が、指標３３と一致する角度に位置する場合、絞りリニアセンサ４１の摺動子４１ａは、カム溝４２上のＳの位置にある。その場合、絞りリニアセンサ４１の出力値は、Ｓ‘となる。同様に、絞りリング４０上に表示された文字［８］が、指標３３と一致する角度に位置する場合、絞りリニアセンサ４１の摺動子４１ａは、カム溝４２上のＴの位置にある。その場合、絞りリニアセンサ４１の出力値は、Ｔ‘となる。同様に、絞りリング４０上に表示された文字［１１］が、指標３３と一致する角度に位置する場合、絞りリニアセンサ４１の摺動子４１ａは、カム溝４２上のＵの位置にある。その場合、絞りリニアセンサ４１の出力値は、Ｕ‘となる。同様に、絞りリング４０上に表示された文字［Ａ］が、指標３３と一致する角度に位置する場合、絞りリニアセンサ４１の摺動子４１ａは、カム溝４２上のＶの位置にある。その場合、絞りリニアセンサ４１の出力値は、Ｖ‘となる。
【００４４】
このように、絞りリニアセンサ４１は、絞りリング４０の回転角度と一対一で対応する出力を示す。したがって、絞りリング４０の回転角度を検出することができる。絞りリニアセンサ４１は、回転角度に応じた絞り値信号を電圧変化として出力する。
【００４５】
絞りリング４０は、外周面に絞りモード切り替えボタン４３を持つ。図８（ａ）は、本発明の実施の形態１に係る絞りリングが第１の停止位置にある場合の略断面図である。また、図８（ｂ）は、本発明の実施の形態１に係る絞りリングが第１の停止位置と第２の停止位置との間にある場合の略断面図である。また、図８（ｃ）は、本発明の実施の形態１に係る絞りリングが第２の停止位置にある場合の略断面図である。
【００４６】
なお、図中かっこで記した符号は、フォーカスリング３２の構造を示すものであるため、絞りリング４０の構造に関連する説明では無視してよい。また、図８（ａ）〜（ｃ）の（１）は、絞りモード切り替えボタン４３の中心を通り光軸ＡＸを含む平面でカットした略断面図である。また、図８（ａ）〜（ｃ）の（１）は、絞りモード切り替えボタン４３の中心を通り光軸ＡＸに垂直な面（ｘｙ面）でカットした略断面図である。図中に矢印Ｋで示した方向は、光軸ＡＸ回りの回転方向を示す。絞りリング４０において、第１の停止位置は、図３（ａ）に示す文字［１１］の位置に相当する。また、絞りリング４０において、第２の停止位置は、図３（ａ）に示す文字［Ａ］の位置に相当する。
【００４７】
絞りモード切り替えボタン４３は、絞りリング４０の横穴４０ａに位置する。絞りモード切り替えボタン４３は、絞りリング４０との間に圧縮バネ３９が設けられている。絞りモード切り替えボタン４３は、圧縮バネの作用により、絞りリング４３の外周方向に付勢されながら図の矢印Ｊ方向に移動可能である。絞りモード切り替えボタン４３は、絞りリング４０の内側に隠れる部分に、光軸ＡＸ方向に突き出た係止部４３ａを有する。
【００４８】
図８（ａ）において、絞りリング４０が第１の停止位置に到達すると、絞りモード切り替えボタン４３の係止部４３ａが、リング固定枠３６に設けられた係止部３６ａに当接する。したがって、絞りモード切り替えボタン４３が操作されない限り、絞りリング４０のＫ方向の回転は禁止される。
【００４９】
絞りリング４０が第１の停止位置にある場合、絞りモード切り替えボタン４３を押し込んでさらにＫ方向に回転すると、絞りモード切り替えボタン４３の係止部４３ａが内部に押し込まれる。リング固定枠３６に形成された係止部３６ａは、内部に絞りモード切り替えボタン４３の係止部４３ａが通過可能な空間が形成されている。したがって、絞りモード切り替えボタン４３は、押し込んでさらにＫ方向に回転するとＫ方向の回転が許容され、図８（ｂ）に示される第１の停止位置と第２の停止位置との間に進入する。
【００５０】
絞りモード切り替えボタン４３を押し込んだままさらにＫ方向に回転すると、絞りモード切り替えボタン４３の係止部４３ａは、Ｋ方向の回転が許容され、図８（ｃ）に示される第２の停止位置に到達する。第２の停止位置において、絞りモード切り替えボタン４３を押し込むことをやめると、絞りモード切り替えボタン４３は圧縮バネにより復元される。
【００５１】
絞りモード切り替えボタン４３がもとの状態に戻ると、絞りモード切り替えボタン４３の係止部４３ａが、リング固定枠３６に設けられた係止部３６ａに当接する。したがって、絞りモード切り替えボタン４３が操作されない限り、絞りスリング４０の逆方向の回転は禁止される。Ｋ方向の逆方向に回転する場合、第２の停止位置で絞りモード切り替えボタン４３を押し込みながら第１の停止位置までＫ方向の逆方向に回転して、第１の停止位置で押し込みを止めればよい。
【００５２】
絞りリング４０は、回転位置に応じて、手動により回転操作が許容される状態と手動による回転操作が禁止される状態とが存在する。絞りリング４０は、指標３３が、図３（ａ）中、［２］から［１１］の表示部分と一致している場合、手動による回転操作が許容される。
【００５３】
絞りリング４０の回転が許容されている状態で、絞りリング４０が回転操作されると、絞りリニアセンサ４１は、回転角度に応じた絞り値信号を出力する。後述する制御系において、絞り値信号に基づいて絞り駆動モータを駆動する駆動信号が生成される。駆動信号により絞り駆動モータが回転する。絞り駆動モータが回転すると、絞り羽根が駆動され、絞り羽根の動作により撮影光学系Ｌの絞り値が変更される。
【００５４】
絞りリング４０は、指標３３が、図３（ａ）中、［Ａ］の表示部分と一致している場合、手動による回転操作が禁止される。絞りリング４０の回転が禁止されている状態では、絞りリング４０は回転しないので、手動による回転操作により絞り羽根が駆動され、絞り値が変更されることはない。絞りリング４０の回転が許容されている状態から禁止されている状態へ移行させるには、絞りリング４０に設けられた絞りモード切り替えボタン４３を押し込みながら絞りリング４０を回転させる。
【００５５】
絞りモード切り替えボタン４３を押し込みながら絞りリング４０を回転させると、図８（ａ）〜（ｃ）を用いて説明したように、絞りリング４０が係止位置である指標３３が文字［１１］の表示に一致する位置を超えて回転する。その後、絞りモード切り替えボタン４３を解放すると、絞りリング４０は、次の係止位置である指標３３が文字［Ａ］の表示に一致する位置で係止される。
【００５６】
逆に、絞りリング４０の回転が禁止されている状態から許容されている状態へ移行させるには、同様に絞りリング４０に設けられた絞りモード切り替えボタン４３を押し込みながら絞りリング４０を回転させる。
【００５７】
絞りモード切り替えボタン４３を押し込みながら絞りリング４０を回転させると、図８（ａ）〜（ｃ）を用いて説明したように、絞りリング４０が係止位置である指標３３が文字［Ａ］の表示に一致する位置を超えて回転する。その後、絞りモード切り替えボタン４３を解放すると、絞りリング４０は、手動による回転操作が許容される状態になる。ただし、絞りリング４０は、係止位置である指標３３が文字［１１］の表示に一致する位置を超えては回転しない。
【００５８】
また絞りリング４０は、内周面に文字［２］，［２．８］，［４］，［５．６］，［８］，［１１］，［Ａ］と指標３３と一致したときに、ユーザがクリック感を持つように、Ｖ溝列４０ｃが形成されている。クリック感について、図９を援用して説明する。
【００５９】
図９は、本発明の実施の形態１に係る絞りリングの回転操作による作用を説明する模式図である。図９（ａ）は、文字［２］と指標３３が一致する状態を示し、図９（ｂ）は、文字［２．８］と指標３３が一致する状態を示す。図９（ａ）及び図９（ｂ）において、リング固定枠３６は、穴３６ｂと、穴３６ｇに設けられたクリックボール４８と、クリックボール４８を外周方向に付勢する圧縮ばね４７を持つ。また、絞りリング４０は、Ｖ溝列４０ｃを持つ。
【００６０】
図９（ａ）に示される、絞りリング４０の文字［２］が、本体の指標３３と一致している状態において、絞りリング４０のＶ溝列４０ｃのうち、文字［２］に対応する位置に形成されているＶ溝に、クリックボール４８が挿入されている。このため、絞りリング４０を回転させるには、圧縮ばね４７の付勢力に抗して回転させる一定のトルクが必要になる。
【００６１】
ユーザが絞りリング４０に圧縮ばね４７の付勢に抗するＬ方向のトルクを与えると、クリックボール４８とＶ溝との係合が外れて、絞りリング４０は、圧縮ばね４７が圧縮された状態でリング固定枠３６の外周面に沿って回転する。さらに、ユーザが、絞りリング４０をＬ方向に回転させると、図９（ｂ）に示されるように、クリックボール４８が絞りリング４０の文字［２．８］が本体の指標３３と一致する位置でＶ溝に挿入される。このとき、ユーザは、絞りリング４０の文字［２．８］が本体の指標３３と一致したことを、クリックボール４８とＶ溝との係合によるクリック感で知ることができる。以下、ユーザが絞りリング４０をＬ方向あるいはＬ方向と逆方向に回転すると、上記の動作が繰り返される。
【００６２】
フォーカスリング３２は、円筒形状である。図１０は、本発明の実施の形態１に係るフォーカスリングの外周面の展開図である。フォーカスリング３２は、フォーカスモード切り換えボタン３７を有する。フォーカスモード切り換えボタン３７は、フォーカスリング３２に一体的に設けられた押しボタンスイッチである。
【００６３】
図１、図４、図１０において、フォーカスリング３２は、外周面に物点距離を表示する。物点距離の表示領域は４つの領域に分かれている。図１０中、［０．３］から［０．６］の表示部分が手動によりフォーカスリング３２の操作が許容されるマクロ撮影領域に対応する。また、［０．６］から［∞］の表示部分が手動によりフォーカスリング３２の操作が許容される通常撮影領域に対応する。また、［ＡＦ］の表示部分が手動によりフォーカスリング３２の操作が禁止される通常撮影領域に対応する。また、［ＡＦ−Ｍａｃｒｏ］の表示部分が手動によりフォーカスリング３２の操作が禁止されるマクロ撮影領域に対応する。
【００６４】
フォーカスリング３２とリング固定枠３６とは、絞りリング４０において説明した機構と同様の機構を備えている。すなわち、フォーカスリング３２は、リング固定枠３６に設けられたフォーカスリニアセンサにより回転角度が検出可能である。また、フォーカスリング３２に設けられたフォーカスモード切り替えボタン３７は、絞りモード切り替えボタン４３と概略同様の機構を有している。なお、フォーカスリング３２の回転角度の検出方法、ならびにフォーカスモード切り替えボタン３７の操作方法については、先に説明した絞りリング４０と同一であるので、その説明は省略する。
【００６５】
図１１は、本発明の実施の形態１に係るデジタルカメラの制御システムを示すブロック図である。図１１において、全体のブロックは、デジタルカメラ１の制御を示す。なお、図１１において、点線で囲まれた範囲が撮像装置ＴＬを示す。デジタルカメラ１には、マイクロコンピュータ４９が搭載されており、各種制御部全体を制御する。
【００６６】
マイクロコンピュータ４９は、ズーム制御部６０と、シャッターボタン６３と、シャッタースピード設定ダイヤル６４と、撮影／再生モード切り替えレバー７１と、ＭＥＮＵボタン７２と、十字操作キー７３と、ＳＥＴボタン７４とから信号を受信可能である。マイクロコンピュータ４９は、シャッター制御部６５と、画像記録制御部５５と、画像表示制御部５８と、音声制御部５９とへ信号を送信可能である。マイクロコンピュータ４９は、フォーカス制御部６１と、絞り制御部６２と、デジタル信号処理部５３との間で信号を相互に交信可能である。また、マイクロコンピュータ４９は、信号を格納するメモリ６６を持つ。
【００６７】
ズーム制御部６０は、ズームリニアセンサ２１から信号を受信する。ズーム制御部６０は、ズームリニアセンサ２１により検出されたズームリング２６の回転量を撮影光学系Ｌの焦点距離情報に変換する。ズーム制御部６０は、焦点距離情報をマイクロコンピュータ４９へ送信する。
【００６８】
フォーカス制御部６１は、フォーカスリニアセンサ３５から信号を受信可能であり、Ａ／Ｄ変換部３５Ａを介して、フォーカス駆動モータ１５へ信号を送信可能である。フォーカス制御部６１は、フォーカスリニアセンサ３５により検出され、Ａ／Ｄ変換部３５Ａによりデジタル化されたフォーカスリング３２の回転角度より、フォーカスモードを判断する。フォーカス制御部６１は、判断した結果をマイクロコンピュータ４９へ送信する。フォーカス制御部６１は、マイクロコンピュータ４９からの指令に基づいてフォーカスリング３２の回転角度より検出した物点距離情報を、マイクロコンピュータ４９へ送信する。フォーカス制御部６１は、マイクロコンピュータ４９からの制御信号に基づいてフォーカスモータ１５を駆動する。
【００６９】
絞り制御部６２は、絞りリニアセンサ４１から信号を受信可能であり、Ａ／Ｄ変換部４１Ａを介して、絞り駆動モータ２２ｂへ信号を送信可能である。絞り制御部６２は、絞りリニアセンサ４１により検出され、Ａ／Ｄ変換部４１Ａによりデジタル化された絞りリング４０の回転角度により、絞りモードを判断する。絞り制御部６２は、判断した結果をマイクロコンピュータ４９へ送信する。絞り制御部６２は、マイクロコンピュータ４９からの指令に基づいて絞りリング４０の回転角度より検出した絞り値情報を、マイクロコンピュータ４９に送信する。絞り制御部６２は、マイクロコンピュータ４９からの制御信号に基づいて絞り駆動モータ２２ｂを駆動する。
【００７０】
シャッター制御部６５は、マイクロコンピュータ４９からの制御信号に基づいて絞り駆動モータ２２ａを駆動する。シャッターボタン６３は、マイクロコンピュータ４９へシャッタータイミングを送信する。シャッタースピード設定ダイヤル６４は、設定されたシャッタースピード情報及びシャッターモード情報を送信する。
【００７１】
撮像センサ１６は、ＣＣＤ（Ｃｈａｒｇｅ  Ｃｏｕｐｌｅｄ  Ｄｅｖｉｃｅ）である。撮像センサ１６は、レンズユニット２の撮影光学系ＴＬにより形成される光学的な像を電気的な画像信号に変換する。撮像センサ１６は、ＣＣＤ駆動制御部５０により駆動・制御される。撮像センサ１６から出力される画像信号は、アナログ信号処理部５１と、Ａ／Ｄ変換部５２と、デジタル信号処理部５３と、バッファメモリ５４と、画像圧縮部５６との順に処理される。
【００７２】
画像信号は、撮像センサ１６から、アナログ信号処理部５１へ送信される。アナログ信号処理部５１は、撮像センサ１６が出力する画像信号に、ガンマ処理等のアナログ信号処理を施す。画像信号は、アナログ信号処理部５１から、Ａ／Ｄ変換部５２へ送信される。Ａ／Ｄ変換部５２は、アナログ信号処理部５１から出力されたアナログ画像信号をデジタル信号に変換する。
【００７３】
画像信号は、Ａ／Ｄ変換部５２から、デジタル信号処理部５３へ送信される。デジタル信号処理部５３は、Ａ／Ｄ変換部５２によりデジタル信号に変換された画像信号のノイズ除去や輪郭強調等のデジタル信号処理を施す。画像信号は、デジタル信号処理部５３から、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）である。
【００７４】
画像信号は、画像記憶制御部５５からの指令に従って、バッファメモリ５４から、画像圧縮部５６に送信される。画像圧縮部５６は、画像記録制御部５５の指令に従って画像信号のデータを所定の大きさに圧縮する。画像信号は、所定の比率でデータの圧縮を受け、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。
【００７５】
圧縮された画像信号は、画像圧縮部５６から画像記録部５７及び液晶モニタＬＣＤへ送信される。一方、マイクロコンピュータ４９は、画像記録制御部５５及び画像表示制御部５８へ制御信号を送信する。画像記録制御部５５は、マイクロコンピュータ４９からの制御信号に基づいて画像記録部５７を制御する。画像表示制御部は、マイクロコンピュータ４９からの制御信号に基づいて液晶モニタＬＣＤを制御する。
【００７６】
画像記録部５７は、画像記録制御部５５の指令に基づいて、画像信号を内部メモリ及び／又はリムーバブルメモリに記録する。画像記録部５７は、画像記録制御部５５の指令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報，撮影モード情報を含む。
【００７７】
液晶モニタＬＣＤは、画像表示制御部５８の指令に基づいて、画像信号を可視画像として表示する。液晶モニタＬＣＤは、画像表示制御部５８の指令に基づいて、画像信号とともに表示すべき情報を、表示する。画像信号とともに表示すべき情報は、焦点距離情報，シャッタースピード情報，絞り値情報，撮影モード情報，合焦状態情報の表示を含む。また、マイクロコンピュータ４９は、音声制御部５９へ制御信号を送信する。音声制御部５９は、マイクロコンピュータ４９からの制御信号に基づいてスピーカＳＰを駆動・制御する。スピーカＳＰは、外部へ所定のアラーム音を発する。
【００７８】
また、液晶モニタＬＣＤは、画像表示制御部５８の指令に基づいて、所定の撮影／再生モードにおいて、ユーザにより設定されるべき設定画面を表示する。設定画面の詳細については、後述する。
【００７９】
ユーザが撮影する場合には、電源ボタン７０をＯＮにし、撮影／再生モード切り替えレバー７１を撮影モードに合わせる。これによりデジタルカメラ１の電源が入り、液晶モニタＬＣＤには、撮像センサ１６により電気的な画像信号に変換された被写体が可視画像として、画像表示制御部５８の指令に基づいて表示される。液晶モニタＬＣＤは、画像表示制御部５８の指令に基づき、所定のタイミングで被写体の可視画像の書き換えを行う、いわゆるスルー画像を表示する。
【００８０】
デジタルカメラ１が撮影モードにある状態において、ユーザがＭＥＮＵボタン７２を押すと、液晶モニタＬＣＤは、画像表示制御部５８の指令に基づき、撮影モードにおいてユーザにより変更可能な設定の項目をアイコン化した設定メニュー画像を表示する。
【００８１】
図１２（ａ）、（ｂ）及び（ｃ）は、いずれも本発明の実施の形態１に係るデジタルカメラの撮影モードにおいて液晶モニタＬＣＤに表示される設定メニュー画像である。本実施の形態１に係るデジタルカメラ１は、撮影モードにおいて、３画面の設定メニュー画像を有する。
【００８２】
図１２（ａ）は、本発明の実施の形態１に係るデジタルカメラの第１番目に表示される撮影モード設定メニュー画像（１／３）を示す。設定メニュー画像（１／３）は、上から順に、アイコン８０と、アイコン８１と、アイコン８２と、アイコン８３とを表示している。図中、アイコン８０の列を矩形で囲っているのは、アイコン８０が選択されており、アイコン８０の列がハイライト表示されていることを表している。
【００８３】
アイコン８０の列は、ホワイトバランスの調整モードを表示する。アイコン８０を選択すると、左側から順に表示された、自動設定であるＡＵＴＯ、晴天、曇り、白熱灯環境下、蛍光灯環境下の間で設定の変更が可能である。アイコン８１の列は、記録画素数の設定モードを表示する。アイコン８１を選択すると、２５６０×１９２０画素、１６００×１２００画素などの設定が表示され、各記録画素への設定の変更が可能である。アイコン８２の列は、撮影画像の圧縮率の設定に対応する。アイコン８２を選択すると、低圧縮、標準圧縮などの設定の変更が可能である。アイコン８３の列は、スポットモードの設定を示す。アイコン８３を選択すると、被写体の一部にピントと露出を合わせて撮影するスポットモードへの設定の変更が可能である。
【００８４】
図１２（ｂ）は、本発明の実施の形態１に係るデジタルカメラの第２番目に表示される撮影モード設定メニュー画像（２／３）を示す。設定メニュー画像（２／３）は、上から順に、アイコン８４と、アイコン８５と、アイコン８６と、アイコン８７とを表示している。図中、アイコン８４の列を矩形で囲っているのは、アイコン８４が選択されており、アイコン８４の列がハイライト表示されていることを表している。
【００８５】
アイコン８４の列は、ＩＳＯ感度の設定モードを表示する。アイコン８４を選択すると、左側から順に表示された、自動設定であるＡＵＴＯ、ＩＳＯ５０、ＩＳＯ１００など間での設定の変更が可能である。アイコン８５の列は、音声付き静止画撮影の設定モードを表示する。アイコン８５を選択すると、数秒間の音声が入った静止画を撮影することを可能にする設定の変更が可能である。アイコン８６の列は、ＡＦ（Ａｕｔｏ  Ｆｏｃｕｓｉｎｇ）の連続動作の設定モードを表示する。アイコン８６を選択すると、シャッターボタンを半押ししなくとも、常にＡＦを動作させるかどうかの設定の変更が可能である。アイコン８７の列は、デジタルズームの設定を表示する。アイコン８７を選択すると、光学ズームに加え、デジタルズームにより画像を拡大して撮影する設定の変更が可能である。
【００８６】
図１２（ｃ）は、本発明の実施の形態１に係るデジタルカメラの第３番目に表示される撮影モード設定メニュー画像（３／３）を示す。設定メニュー画像（３／３）は、上から順に、アイコン８８と、アイコン８９とを表示する。図中、アイコン８９の列を矩形で囲っているのは、アイコン８９が選択されており、アイコン８９の列がハイライト表示されていることを表している。
【００８７】
アイコン８８の列は、液晶モニタＬＣＤの明るさ設定モードを表示する。アイコン８８を選択すると、液晶モニタＬＣＤの明るさを数段階に調整する設定の変更が可能である。アイコン８９の列は、操作音の設定モードを表示する。アイコン８９を選択すると、操作音を大きくしたり、消したりする設定の変更が可能である。
【００８８】
次に、ユーザが既に記憶されている電気的な画像信号を再生する場合、撮影／再生モード切り替えレバー７１を再生モードに合わせる。デジタルカメラ１が再生モードにある状態において、ユーザがＭＥＮＵボタン７２を押すと、液晶モニタＬＣＤは、画像表示制御部５８の指令に基づき、再生モードにおいてユーザにより変更可能な設定の項目をアイコン化した設定メニュー画像を表示する。
【００８９】
図１３（ａ）及び（ｂ）は、いずれも本発明の実施の形態１に係るデジタルカメラの再生モードにおいて液晶モニタＬＣＤに表示される設定メニュー画像である。本実施の形態１に係るデジタルカメラ１は、再生モードにおいて、２画面の設定メニュー画像を有する。
【００９０】
図１３（ａ）は、本発明の実施の形態１に係るデジタルカメラの第１番目に表示される再生モード設定メニュー画像（１／２）を示す。設定メニュー画像（１／２）は、上から順に、アイコン９０と、アイコン９１と、アイコン９２とを表示する。図中、アイコン９０の列を矩形で囲っているのは、アイコン９０が選択されており、アイコン９０の列がハイライト表示されていることを表している。
【００９１】
アイコン９０の列は、記録した撮影画像のプロテクト設定モードを表示する。アイコン９０が選択されると、１枚の静止画像を変更／消去不可能に設定する１枚設定、複数枚の静止画像を変更／消去不可能に設定する複数設定、すべての静止画像を変更／消去可能に設定する全解除の間で設定の変更が可能である。アイコン９１の列は、プリントしたい画像、プリント枚数などの情報をカードに書き込むＤＰＯＦの設定モードを表示する。アイコン９１を選択すると、いずれの画像を、何枚プリントするかなどの設定の変更が可能である。アイコン９２の列は、スライドショー（自動再生）の設定モードを表示する。であり、カード内の指定した画像を自動的に連続させて見ることができるように設定可能である。
【００９２】
図１３（ｂ）は、本発明の実施の形態１に係るデジタルカメラの第２番目に表示される再生モード設定メニュー画像（２／２）を示す。設定メニュー画像（２／２）は、上から順に、アイコン９３と、アイコン９４とを表示する。図中、アイコン９３の列を矩形で囲っているのは、アイコン９３が選択されており、アイコン９３の列がハイライト表示されていることを表している。
【００９３】
アイコン９３の列は、撮影した画像に、後から数秒の音声を入れるアフレコ設定モードを表示する。アイコン９３を選択すると、内蔵マイクにより録音を可能にする設定の変更が可能である。アイコン９４の列は、リムーバブルメモリであるカードの初期化の実行モードを表示する。アイコン９４を選択すると、カード内の全てのデータを削除する設定の変更が可能である。
【００９４】
以下、撮影モード設定の内容を変更する場合の操作方法について説明する。このデジタルカメラ１において、ユーザは、２通りの、撮影モード設定の内容を変更するための操作を行うことができる。
【００９５】
はじめに、十字操作キー７３を用いた撮影モード設定の内容を変更する操作について説明する。撮影モードにおいて、ユーザが、ＭＥＮＵボタン７２を押すと、マイクロコンピュータ４９は、画像表示制御部５８を制御して、図１２（ａ）に示す撮影モード設定メニュー画像（１／３）を液晶モニタＬＣＤに表示させ、アイコン８０のホワイトバランスの設定項目をハイライト表示させる。ここで、ユーザが、十字操作キー７３の左右の矢印キーを押すことにより、マイクロコンピュータ４９は、ＡＵＴＯ，晴天、曇り、白熱灯環境下などでの条件を選択して、設定の内容の変更を受け付ける。
【００９６】
また、ユーザが、十字操作キー７３の下矢印キーを押すことにより、マイクロコンピュータ４９は、画像表示制御部５８を制御して、アイコン８１，８２，８３と下方向に順番にスクロールさせる。マイクロコンピュータ４９は、スクロールして選択された設定の項目の内容の変更を許可する。そして、ユーザが、十字操作キー７３をさらに押してアイコン８３よりさらに下方向にスクロールさせると、マイクロコンピュータ４９は、画像表示制御部５８を制御して、図１２（ｂ）に示す撮影モード設定メニュー画像（２／３）を液晶モニタＬＣＤに表示させ、アイコン８４のＩＳＯ感度の項目をハイライト表示させる。
【００９７】
ユーザが、十字操作キー７３の下矢印キーを押して下方向にスクロールさせると、マイクロコンピュータ４９は、画像表示制御部５８を制御して、図１２（ｃ）に示す撮影モード設定メニュー画像（３／３）を液晶モニタＬＣＤに表示させ、アイコン８８の液晶の明るさに係る項目の内容がハイライト表示させる。さらに、ユーザが、十字操作キー７３の下矢印キーを押して下方向にスクロールさせると、マイクロコンピュータ４９は、画像表示制御部５８を制御して、最初に示した撮影モード設定メニュー画像（１／３）を液晶モニタＬＣＤに表示させる。同様に、ユーザが、十字操作キー７３の上矢印キーを押すことにより、マイクロコンピュータ４９は、画像表示制御部５８を制御して、逆方向にスクロールさせる。
【００９８】
同様に、再生モードにおいて、ユーザが、ＭＥＮＵボタン７２を押すと、マイクロコンピュータ４９は、画像表示制御部５８を制御して、図１３（ａ）に示す再生モード設定メニュー（１／２）を液晶モニタＬＣＤに表示させ、アイコン９０のプロテクトの実行項目がハイライト表示させる。ここで、ユーザが、十字操作キー７３の左右の矢印キーを押すことにより、マイクロコンピュータ４９は、１枚設定、複数設定、全解除などの条件を選択する。ユーザが、いずれかの条件が選択された状態で、ＳＥＴボタン７４を押すと、マイクロコンピュータ４９は、プロテクトモードの設定の内容を変更する。
【００９９】
また、ユーザが十字操作キー７３の下矢印キーを押すことにより、マイクロコンピュータ４９は、画像表示制御部５８を制御して、アイコン９１，９２，９３と下方向に順番にスクロールさせる。そして、ユーザが、十字操作キー７３の下矢印キーを押すと、マイクロコンピュータ４９は、画像表示制御部５８を制御して、アイコン９３よりさらに下方向にスクロールさせて、図１３（ｂ）に示す再生モード設定メニュー（２／２）を液晶モニタＬＣＤに表示させ、アイコン９４の初期化の実行項目をハイライト表示させる。さらに、ユーザが、十字操作キー７３の下矢印キーを押すことにより、さらに下方向にスクロールさせると、マイクロコンピュータ４９は、画像表示制御部５８を制御して、最初に示した再生モード設定メニュー画像（２／２）に戻す。同様に、ユーザが、十字操作キー７３の上矢印キーを押すことにより、マイクロコンピュータ４９は、画像表示制御部５８を制御して、逆方向にスクロールさせる。
【０１００】
図１４は、本発明の実施の形態１に係るデジタルカメラの撮影モード設定メニューのメモリ割り当てを示す一覧表である。また、図１５は、本発明の実施の形態１に係るデジタルカメラの撮影モード設定の操作を示すフローチャートである。以下、図１４及び１５を用いて、絞りリング４０を用いた撮影モード設定の内容を変更する操作について説明する。
【０１０１】
図１４に示すように、絞りリング４０の回転角度に応じて、撮影モードにおける設定メニュー画像で変更可能な項目を示すアイコンが割り当てられ、予めメモリ６６に格納されている。すなわち、絞りリング４０上の［２］、［２．８］、［４］、［５．６］、［８］、［１１］、［ＡＵＴＯ］の位置が、順に、番号［１］、［２］、［３］、［４］、［５］、［６］、［７］とナンバリングされている。さらに、番号［１］、［２］、［３］、［４］、［５］、［６］、［７］は、順に、アイコン８０のホワイトバランスの調整モード、アイコン８１の記録画素数の設定モード、アイコン８４のＩＳＯの設定モード、アイコン８７のデジタルズームの設定モード、アイコン８９の操作音の設定モードが割り当てられる。また、番号［６］及び［７］は、ブランクとし、変更可能な設定の項目が割り当てられていない。
【０１０２】
以上のように構成されたデジタルカメラの撮影モードの内容を変更する操作フローを、図１５を用いて説明する。デジタルカメラ１の電源がＯＮで、撮影モードにあるとき、ユーザが、ＭＥＮＵボタン７２を押すと、マイクロコンピュータ４９は、画像表示制御部５８を制御して、液晶モニタＬＣＤ上に、図１２（ａ）に示す撮影モードの設定メニュー画像（１／３）を表示する（Ｓｔｅｐ１）。マイクロコンピュータ４９は、ＭＥＮＵボタン７２が押されない場合、入力を待つ。
【０１０３】
次に、マイクロコンピュータ４９は、絞りリニアセンサ４１からの信号に基づき、絞りリング４０の回転角度に対応する位置を検出する（Ｓｔｅｐ２）。例えば、絞りリング４０上の文字［２］と指標３３が一致する場合、マイクロコンピュータ４９は、絞りリニアセンサ４１からの信号に基づき、メモリ６６に格納された設定項目の割り当て番号［１］と判別し、画像表示制御部５８を制御して、設定メニュー画像（１／３）のアイコン８０のホワイトバランスの設定モードをハイライト表示する（Ｓｔｅｐ３）。これにより、デジタルカメラ１は、ホワイトバランスに係る設定の項目が選択され、内容の変更が許可される。この状態で、ユーザが十字操作キー７３の左右の矢印キーを押すと、所望の設定の内容が選択され（Ｓｔｅｐ４）、マイクロコンピュータ４９は、設定条件を確定する（Ｓｔｅｐ５）。
【０１０４】
また、絞りリング４０の回転角度に対応する位置の検出ステップ（Ｓｔｅｐ２）において、例えば、絞りリング４０上の文字［４］と指標３３が一致する場合、マイクロコンピュータ４９は、絞りリニアセンサ４１からの信号に基づき、メモリ６６に格納された設定項目の割り当て番号［３］と判別し、画像表示制御部５８を制御して、設定メニュー画像（２／３）のアイコン８４のＩＳＯの設定項目をハイライト表示する（Ｓｔｅｐ３）。これにより、デジタルカメラ１は、ＩＳＯに係る設定の項目が選択され、内容の変更が許可される。同様に、絞りリング４０の回転角度に対応する位置毎に、マイクロコンピュータ４９は、絞りリニアセンサ４１からの信号に基づき、メモリ６６に格納された設定の項目の割り当て番号を判別して、変更すべき設定の項目を選択し、内容の変更を許可する。
【０１０５】
なお、マイクロコンピュータ４９は、撮影モードにおける設定の内容の変更中に、ユーザがＭＥＮＵボタン７２を再度押した場合、カメラをすぐに通常の撮影可能な状態に移行させる。また、フローでは示していないが、ユーザがシャッターボタン６３を押した場合も、同様に、マイクロコンピュータ４９は、カメラを通常の撮影可能な状態に移行させる。
【０１０６】
また、ユーザが十字操作キー７３を上下方向にすると、マイクロコンピュータ４９は、画像表示制御部５８を制御して、設定の項目を順にスクロールさせる制御を行う。すなわち、この場合、先に説明した十字操作キー７３を用いた撮影モード設定の内容を変更する操作に移行する。
【０１０７】
以上の絞りリング４０を用いた撮影モードの設定の内容を変更する操作によれば、絞りリング４０を回転操作するだけで、回転角度に対応する位置に応じて予めメモリ６６に格納された設定の項目を選択することが可能になる。したがって、例えば、上記のフローチャートの例において、ユーザは、アイコン８０のホワイトバランスの設定から、アイコン８４のＩＳＯの設定へ、ダイレクトに移行させることが可能となる。同様に、ユーザは、アイコン８１の記録画素数の設定と、アイコン８７のデジタルズームの設定と、アイコン８９の操作音の設定との間をダイレクトに相互に移行することができる。
【０１０８】
これに対して、十字操作キー７３を用いた撮影モード設定の内容を変更する操作しかできない場合、アイコン８０のホワイトバランスを設定し、次にアイコン８４のＩＳＯを設定するときは、十字操作キー７３の下矢印キーを連続して押し、アイコン８１，８２，８３をスクロールして、アイコン８４のＩＳＯを選択する必要がある。
【０１０９】
次に、再生モード設定の内容を変更する場合の操作方法について説明する。このデジタルカメラ１において、ユーザは、撮影モードの場合と同様に、十字操作キー７３及び絞りリング４０を用いた２通りの再生モード設定の内容を変更する操作を行うことができる。この内、絞りリング４０を用いた再生モード設定の内容を変更する操作を説明する。
【０１１０】
図１６は、本発明の実施の形態１に係るデジタルカメラの再生モード設定メニューのメモリ割り当てを示す一覧表である。図１６に示すように、絞りリング４０の回転角度に応じて、再生モードにおける設定メニュー画像で変更可能な項目を示すアイコンが割り当てられ、予めメモリ６６に格納されている。
【０１１１】
すなわち、絞りリング４０上の［２］、［２．８］、［４］、［５．６］、［８］、［１１］、［ＡＵＴＯ］の位置が、順に、番号［１］、［２］、［３］、［４］、［５］、［６］、［７］とナンバリングされている。さらに、番号［１］、［２］、［３］は、順に、アイコン９０のプロテクトの設定モード、アイコン９２のスライドショーの設定モード、アイコン９３のアフレコの設定モードが割り当てられる。また、番号［４］から［７］までは、ブランクとし、変更可能な設定の項目が割り当てられていない。
【０１１２】
図１７は、本発明の実施の形態１に係るデジタルカメラの再生モード設定の操作を示すフローチャートである。以下、図１７を用いて、絞りリング４０を用いた再生モード設定の内容を変更するための操作について説明する。
【０１１３】
デジタルカメラ１の電源がＯＮで、再生モードにあるとき、ユーザが、ＭＥＮＵボタン７２を押すと、マイクロコンピュータ４９は、画像表示制御部５８を制御して、液晶モニタＬＣＤ上に、図１３（ａ）に示す再生モードの設定メニュー画像（１／２）を表示する（Ｓｔｅｐ１）。マイクロコンピュータ４９は、ＭＥＮＵボタン７２が押されない場合、入力を待つ。
【０１１４】
次に、マイクロコンピュータ４９は、絞りリニアセンサ４１からの信号に基づき、絞りリング４０の回転角度に対応する位置を検出する（Ｓｔｅｐ２）。例えば、絞りリング４０上の文字［２］と指標３３が一致する場合、マイクロコンピュータ４９は、絞りリニアセンサ４１からの信号に基づき、メモリ６６に格納された設定項目の割り当て番号［１］と判別し、画像表示制御部５８を制御して、設定メニュー画像（１／２）のアイコン９０のプロテクトの設定モードをハイライト表示する（Ｓｔｅｐ３）。これにより、デジタルカメラ１は、プロテクトに係る設定の項目が選択され、内容の変更が許可される。この状態で、ユーザが十字操作キー７３の左右の矢印キーを押すと、所望の設定の内容が選択され（Ｓｔｅｐ４）、マイクロコンピュータ４９は、設定を実行する（Ｓｔｅｐ５）。
【０１１５】
また、絞りリング４０の回転角度に対応する位置の検出ステップ（Ｓｔｅｐ２）において、例えば、絞りリング４０上の文字［４］と指標３３が一致する場合、マイクロコンピュータ４９は、絞りリニアセンサ４１からの信号に基づき、メモリ６６に格納された設定項目の割り当て番号［３］と判別し、画像表示制御部５８を制御して、設定メニュー画像（２／２）のアイコン９３のアフレコの設定項目をハイライト表示する（Ｓｔｅｐ３）。これにより、デジタルカメラ１は、アフレコに係る設定の項目が選択され、静止画に対する音声入力の受付を行う処理をする。同様に、絞りリング４０の回転角度に対応する位置毎に、マイクロコンピュータ４９は、絞りリニアセンサ４１からの信号に基づき、メモリ６６に格納された設定の項目の割り当て番号を判別して、変更すべき設定の項目を選択し、内容の処理を実行する。
【０１１６】
以上の絞りリング４０を用いた再生モードの設定の内容を変更する操作によれば、絞りリング４０を回転操作するだけで、回転角度に対応する位置に応じて予めメモリ６６に格納された設定の項目を選択することが可能になる。したがって、例えば、上記のフローチャートの例において、ユーザは、アイコン９０のプロテクトの設定から、アイコン９３のアフレコの設定へ、ダイレクトに移行させることが可能となる。同様に、ユーザは、アイコン９２のスライドショーの設定と、アイコン９０のプロテクトの設定と、アイコン９３のアフレコの設定との間をダイレクトに相互に移行することができる。
【０１１７】
これに対して、十字操作キーを用いた再生モード設定の内容を変更する操作しかできない場合、アイコン９０のプロテクトを設定し、次にアイコン９３のアフレコを設定するときは、十字操作キー７３の下矢印キーを連続して押し、アイコン９１，９２をスクロールして、アイコン９３のアフレコを選択する必要がある。
【０１１８】
以上、説明したように、実施の形態１のデジタルカメラは、ユーザが絞りリング４０を回転操作することにより、撮影モード及び再生モードの設定において内容を変更すべき項目を容易に選択することができる。したがって、従来から知られている十字操作キーのみによって設定の内容を変更するための操作を行う場合と比較して、ユーザの操作性がよく、また急な設定の内容の変更にも対応することが可能になる。また、絞りリング４０は、レンズ鏡筒４６に配置された構成であるから、操作部材の配置のために新たなスペースや部品を必要とすることがない。
【０１１９】
また、実施の形態１のデジタルカメラは、液晶モニタＬＣＤにより設定の項目を表示するので、ユーザは絞りリング４０を回転操作する際に、液晶モニタＬＣＤにより提示された項目を確認しながら操作することができる。したがって、絞りリング４０の操作を確実に行うことができる。
【０１２０】
また、実施の形態１のデジタルカメラは、ユーザが選択された項目の内容を変更するために、撮影モードでは十字操作キー７３の左右の矢印キー、再生モードでは十字操作キー７３の左右の矢印キーに加えてＳＥＴキー７４を用いるので、ユーザは絞りリング４０の回転操作により選択された設定の項目の内容を、これらの操作部材により確実に変更することができる。
【０１２１】
また、実施の形態１のデジタルカメラは、ＭＥＮＵボタン７２を備えているので、絞りリング４０の意図しない回転操作により設定の項目が選択されることを防止できるとともに、絞りリング４０を本来の絞り値設定のために用いることができる。
【０１２２】
また、実施の形態１のデジタルカメラは、撮影／再生モード切り替えレバー７１を備えているので、ユーザが撮影モードの設定が可能な状態において、絞りリング４０を回転操作すると、撮影モードに直接関連する撮影に関する項目を選択することができる。また、実施の形態１のデジタルカメラは、撮影／再生モード切り替えレバー７１を備えているので、ユーザが撮影モードの設定ができない状態において、絞りリング４０を回転操作すると、本来の絞り値の変更を実行することができる。
【０１２３】
また、実施の形態１のデジタルカメラは、撮影／再生モード切り替えレバー７１を備えているので、ユーザが再生モードの設定が可能な状態において、絞りリング４０を回転操作すると、再生モードに直接関連する再生に関する項目を選択することができる。
【０１２４】
また、実施の形態１のデジタルカメラは、絞りリング４０に所定の角度で離散的に固定するためのクリックボールを設け、クリックボールによりクリック感を持たせているので、ユーザは確実に所望の項目を選択することができる。
【０１２５】
なお、実施の形態１において説明した絞りリング４０の回転角度に応じてメモリ６６に格納される項目の種類や順序は一例であり、順序を変更したり他の項目を割り当てたりしてもよいことはいうまでもない。
また、絞りリング４０による撮影、あるいは再生に関する項目を選択する機能については、ユーザにより、使用できないようにすることもできる。
【０１２６】
（実施の形態２）
次に、本発明の実施の形態２に係るデジタルカメラを説明する。実施の形態２に係るデジタルカメラは、概略構成を実施の形態１に係るデジタルカメラ１と同じくするので、相違する部分のみを説明する。
【０１２７】
図１８は、本発明の実施の形態２に係るデジタルカメラの撮影モード設定メニューのメモリ割り当てを示す一覧表である。また、図１９は、本発明の実施の形態２に係るデジタルカメラの再生モード設定の操作を示すフローチャートである。
【０１２８】
実施の形態２に係るデジタルカメラは、絞りリング４０の回転角度に応じた設定の項目の順序及び種類を、ユーザにより自由にカスタマイズすることができる。また、ユーザがカスタマイズを行うためのカスタマイズモードへの移行を、絞りリング４０の回転操作により行うことができる。実施の形態２に係るデジタルカメラは、図１８に示すように、ユーザが絞りリング４０上の文字［Ａ］を指標３３に合わせると、カスタマイズモードに移行する。
【０１２９】
実施の形態２に係るデジタルカメラの撮影モードの項目を設定する操作フローを、図１９を用いて説明する。デジタルカメラの電源がＯＮで、撮影モードにあるとき、ユーザが、ＭＥＮＵボタン７２を押すと、マイクロコンピュータ４９は、画像表示制御部５８を制御して、液晶モニタＬＣＤ上に、図１２（ａ）に示す撮影モードの設定メニュー画像（１／３）を表示する（Ｓｔｅｐ１）。マイクロコンピュータ４９は、ＭＥＮＵボタン７２が押されない場合、入力を待つ。
【０１３０】
次に、ユーザが、カスタマイズモードに移行するため、ユーザが絞りリング４０上の文字［Ａ］を指標３３に合わせると、マイクロコンピュータ４９は、絞りリニアセンサ４１の出力に基づいて、カスタマイズモードであることを検知する（Ｓｔｅｐ２）。絞りリング４０上の文字［Ａ］を指標３３と一致していない場合、マイクロコンピュータ４９は、カスタマイズモードから通常の撮影モード設定に戻る。
【０１３１】
マイクロコンピュータ４９がカスタマイズモードであることを検知した場合、マイクロコンピュータ４９は、ユーザによる絞りリング４０のカスタマイズを受け付ける。ここでは、一例として、絞りリング４０上の文字［２］の位置に、アイコン８０のホワイトバランスの設定モードを割り当てる操作を説明する。
【０１３２】
ユーザが絞りリング４０上の文字［２］を指標３３に合わせると、マイクロコンピュータ４９は、文字［２］を、メモリ上の番号［１］とし番号［１］に割り当てられる項目の入力を受け付ける（Ｓｔｅｐ３）。次に、マイクロコンピュータ４９は、画像表示制御部５８を制御して、撮影モード設定メニュー画像（１／３）を液晶モニタＬＣＤ上に表示させる。この状態において、マイクロコンピュータ４９は、ユーザが十字操作キー７３の上下の矢印キーを押すことにより、撮影モード設定メニューのアイコンがスクロールされるように制御する。絞りリング４０上の文字［２］の位置に、アイコン８０のホワイトバランスの設定モードを割り当てる場合、マイクロコンピュータ４９は、ユーザによる十字操作キーの上下の矢印キーの操作によって、アイコン８０のホワイトバランスの設定モードをハイライト表示させる（Ｓｔｅｐ４）。ユーザがＳＥＴボタン７４を押すと、マイクロコンピュータ４９は、絞りリング４０上の文字［２］の位置であるメモリ６６の番号［１］に、アイコン８０のホワイトバランスの設定モードを割り当てることを確定する（Ｓｔｅｐ５）。確定された項目は、マイクロコンピュータ４９により、メモリ６６に格納される。
【０１３３】
次に、ユーザがカスタマイズモードを続ける場合、（Ｓｔｅｐ３）から（Ｓｔｅｐ５）までの処理を続けて行う。実施の形態２に係るデジタルカメラは、図１８に示すように、カスタマイズの結果として、番号［１］、［２］、［３］、［４］、［５］、［６］、［７］は、順に、アイコン８０のホワイトバランスの調整モード、アイコン８１の記録画素数の設定モード、アイコン８３のスポットモードの設定モード、アイコン８４のＩＳＯの設定モード、アイコン８７のデジタルズームの設定モード、アイコン８９の操作音の設定モードが割り当てられ、メモリ６６に格納されている。ユーザがカスタマイズを終了する場合、再度、絞りリング４０上の文字［Ａ］を指標３３に合わせる。マイクロコンピュータ４９は、絞りリニアセンサ４１の出力に基づき、再度、絞りリング４０上の文字［Ａ］が指標３３と一致したことを検知すると、カスタマイズモードを終了させ、通常の撮影メニュー設定モードへと移行させる。
【０１３４】
実施の形態２に係るデジタルカメラは、カスタマイズモードへの移行と、カスタマイズモードからの復帰との動作を、絞りリング４０上の文字［Ａ］を指標３３に合わせる位置で行っていることに特徴を有する。
【０１３５】
すなわち、実施の形態２のデジタルカメラは、絞りリング４０は絞りモード切り替えボタン３４を有しているので、カスタマイズモードに移行するために、ユーザが絞りモード切り替えボタン３４を押し込んで絞りリング４０上の文字［Ａ］を指標３３に合わせるように意図的に操作する必要がある。したがって、実施の形態２のデジタルカメラは、ユーザの通常の操作で意図しないカスタマイズモードへ移行することはない。また、実施の形態２のデジタルカメラは、カスタマイズモード設定中は、絞りモード切り替えボタン３４により、ユーザの意図しない操作により回転することがない。
【０１３６】
カスタマイズモードは頻繁に設定の内容が変更されるものではないので、実施の形態２に係るデジタルカメラのように、機構的にロックされる絞りリング４０上の文字［Ａ］を指標３３に合わせる位置に設定されることが望ましい。
【０１３７】
なお、再生モードにおける設定の項目のカスタマイズについても、撮影モードの場合と全く同様に行うことができる。
【０１３８】
また、割り当てられる設定の項目の順序および種類については、本実施の形態にて説明したものに限定されるものではなく、自由にカスタマイズすることができることは言うまでもない。
【０１３９】
また、絞りリング４０を利用してカスタマイズした撮影モードの設定の項目は、複数のユーザにより異なる設定の項目として使用することも可能である。図２０は、本発明の実施の形態２の変形例に係るデジタルカメラの第３番目に表示される撮影モード設定メニュー画像（３／３）である。図２０に示すように、図２０の撮影モード設定メニュー画像（３／３）において、本発明の実施の形態２の変形例に係るデジタルカメラは、メモリ６６にテーブルとして記憶されたユーザ１、ユーザ２、ユーザ３の選択を行うことができる。ここで、ユーザがユーザ１を選択した場合、マイクロコンピュータ４９は、予めユーザ１によりカスタマイズされメモリ６６に格納された設定の項目を呼び出す制御を行う。実施の形態２の変形例に係るデジタルカメラは、マルチユーザ対応により、デジタルカメラを使用するたびにカスタマイズの設定を変更する手間を省略することができる。
【０１４０】
さらに、マルチユーザ対応の代わりに、シーンセレクタやモードセレクタとして利用してもよい。例えば、撮影モードにおいて、ホワイトバランスの設定とＩＳＯ感度の設定とを常に含む「夜景撮影」のモードや、スポットモードの設定とＡＦの連続動作の設定とを
常に含む「スポーツ」のモードなどが考えられる。
【０１４１】
なお、実施の形態２に係るカスタマイズメニューに移行する際に、絞りリング４０上の文字［Ａ］を指標３３に合わせることによって行ったが、別途、撮影モード操作メニューの中に、カスタマイズモードに移行するためのアイコンや、デジタルカメラ１に操作ボタンを設けても同様の効果が得られる。
【０１４２】
以上のように、実施の形態２のデジタルカメラは、書き換え可能なメモリを備えているので、設定される項目をユーザによりカスタマイズすることができる。したがって、ユーザが個人的に頻繁に設定の内容の変更を行うべき項目を瞬時に選択することができる。
【０１４３】
以上のように、実施の形態２のデジタルカメラは、メモリが絞りリングの一の回転角度に対して複数の項目を格納するので、複数の設定される項目をカスタマイズすることができる。したがって、各ユーザが個人的に頻繁に設定の内容の変更を行うべき項目をそれぞれ瞬時に選択することができる。また、シーンセレクタやモードセレクタとして状況に応じて設定の内容の変更を行うべき項目を変更することができる。
【０１４４】
（実施の形態３）
以上説明した各実施の形態は、含まれる構成要素がすべて一体的に配置されるカメラに適用した例であったが、本発明はこれらに限定されるものではない。例えば、本発明は、監視カメラシステムやＷｅｂカメラのように、撮影光学系を保持するレンズ鏡筒と撮像センサとを含む撮像装置と、この撮像装置を制御する制御装置とが別々に構成されるシステムに対しても適用することができる。
【０１４５】
上記のシステムに適用する場合、各実施の形態で説明したマイクロコンピュータに対応する制御部は、制御装置側に含まれる。したがって、上記のシステムにおいて、レンズ鏡筒に設けられた絞りリングの回転角度を検出する絞りリニアセンサからの出力を制御装置側の制御部へ入力させ、制御装置側で変更すべき設定の項目の選択をする構成とすればよい。この場合も同様の効果を奏することができる。
【０１４６】
また別の例として、一眼レフレックスカメラシステムのように、撮影光学系を保持するレンズ鏡筒と、撮像センサを含むカメラ本体とが別々に構成されるシステムに対しても適用することができる。
【０１４７】
上記のシステムに適用する場合、各実施の形態で説明したマイクロコンピュータに対応する制御部は、カメラ本体に含まれる。したがって、上記のシステムにおいて、レンズ鏡筒に設けられた絞りリングの回転角度を検出する絞りリニアセンサからの出力をカメラ本体のマイクロコンピュータ等の制御部へ入力させ、カメラ本体側で変更すべき設定の項目の選択をする構成とすればよい。この場合も同様の効果を奏することができる。
【０１４８】
（その他の実施の形態）
なお、以上説明した本発明の実施の形態は、その内容に具体的な態様に限られず、適宜変更することが可能である。例えば、本実施の形態においては、絞りリングの絶対角度検出をする際に、摺動子を持つリニアセンサを用いたが、接点ブラシと導電パターンを用いたリニアセンサとしてもよい。また、リニアセンサの代わりに、回転量を検出するロータリエンコーダを用いてもよい。
【０１４９】
また、絞りリングの回転角度のステップ数は、本実施の形態において説明した１ＡＶごとのステップ数に限るものではなく、例えば、１／２ＡＶごと、１／３ＡＶごとのステップ数にすることにより、割り当てるアイコンの数も多くすることは可能であることは言うまでもない。
【０１５０】
また、本実施の形態においては、絞りリングにより操作について説明したが、フォーカスリングに、その機能を割り当ててもよい。
【０１５１】
また、本実施の形態においては、フォーカスおよび絞りのオートとマニュアルモードの切り替えにおいて、どちらのモードに移行する際にも、切り替えボタンを押しながらリングを回転させたが、この構成に限られない。
【０１５２】
また、実施の形態においては、ズームリングは手動による回転操作する例を示したが、ズームリングに、実施の形態のフォーカスリングと同様の構成を用いて、モータにより駆動されるパワーズームとしてもよい。
【産業上の利用可能性】
【０１５３】
本発明は、撮影／再生モードの設定メニューの操作性に優れたカメラを提供することができる。また、本発明のレンズ鏡筒および撮像装置を、携帯電話端末やＰＤＡ（Ｐｅｒｓｏｎａｌ  Ｄｉｇｉｔａｌ  Ａｓｓｉｓｔ）などのモバイル機器に適用することにより、これらの機器に、操作性がよいデジタルカメラを提供することができる。
【図面の簡単な説明】
【０１５４】
【図１】本発明の実施の形態１に係るデジタルカメラの上面図
【図２】本発明の実施の形態１に係るデジタルカメラの背面図
【図３】（ａ）は、本発明の実施の形態１に係る絞りリングの外周面の展開図、（ｂ）は、本発明の実施の形態１に係る絞りリングの内周面の展開図
【図４】本発明の実施の形態１に係るレンズ鏡筒の断面図
【図５】本発明の実施の形態１に係る絞りリングと絞りリニアセンサの結合を示す断面図
【図６】（ａ）は、本発明の実施の形態１のレンズ鏡筒の絞りリニアセンサの回路図、（ｂ）は、本発明の実施の形態１のレンズ鏡筒の絞りリニアセンサの出力を表すグラフ
【図７】本発明の実施の形態１に係る絞りリングの回転角度と絞りリニアセンサの出力値の関係を示すグラフ
【図８】（ａ）は、本発明の実施の形態１に係る絞りリングが第１の停止位置にある場合の略断面図、（ｂ）は、本発明の実施の形態１に係る絞りリングが第１の停止位置と第２の停止位置との間にある場合の略断面図、（ｃ）は、本発明の実施の形態１に係る絞りリングが第２の停止位置にある場合の略断面図
【図９】本発明の実施の形態１に係る絞りリングの回転操作による作用を説明する模式図
【図１０】本発明の実施の形態１に係るフォーカスリングの外周面の展開図
【図１１】本発明の実施の形態１に係るデジタルカメラの制御システムを示すブロック図
【図１２】（ａ）は、本発明の実施の形態１に係るデジタルカメラの第１番目に表示される撮影モード設定メニュー画像（１／３）、（ｂ）は、本発明の実施の形態１に係るデジタルカメラの第２番目に表示される撮影モード設定メニュー画像（２／３）（ｃ）は、本発明の実施の形態１に係るデジタルカメラの第３番目に表示される撮影モード設定メニュー画像（３／３）
【図１３】（ａ）は、本発明の実施の形態１に係るデジタルカメラの第１番目に表示される再生モード設定メニュー画像（１／２）、（ｂ）は、本発明の実施の形態１に係るデジタルカメラの第２番目に表示される再生モード設定メニュー画像（２／２）
【図１４】本発明の実施の形態１に係るデジタルカメラの撮影モード設定メニューのメモリ割り当てを示す一覧表
【図１５】本発明の実施の形態１に係るデジタルカメラの撮影モード設定の操作を示すフローチャート
【図１６】本発明の実施の形態１に係るデジタルカメラの再生モード設定メニューのメモリ割り当てを示す一覧表
【図１７】本発明の実施の形態１に係るデジタルカメラの再生モード設定の操作を示すフローチャート
【図１８】本発明の実施の形態２に係るデジタルカメラの撮影モード設定メニューのメモリ割り当てを示す一覧表
【図１９】本発明の実施の形態２に係るデジタルカメラの再生モード設定の操作を示すフローチャート
【図２０】本発明の実施の形態２の変形例に係るデジタルカメラの第３番目に表示される撮影モード設定メニュー画像（３／３）
【符号の説明】
【０１５５】
ＢＤ  本体
ＴＬ  撮像装置
Ｌ  撮影光学系
１  デジタルカメラ
２  レンズユニット
２２  絞りユニット
２６  ズームリング
２９  フィルタマウント
３２  フォーカスリング
３３  指標
３６  リング固定枠
４０  絞りリング
４１  絞りリニアセンサ
４２  絞りリングのカム溝
４３  絞りモード切り替えボタン
４６  レンズ鏡筒
４９  マイクロコンピュータ
６０  ズーム制御部
６１  フォーカス制御部
６２  絞り制御部
６３  シャッターボタン
６４  シャッタースピード設定ダイヤル
６５  シャッター制御部
７０  電源ボタン
７１  撮影／再生切り替えレバー
７２  ＭＥＮＵボタン
７３  十字操作キー
７４  ＳＥＴボタン
８０〜８９  撮影モードのアイコン
９０〜９４  再生モードのアイコン
９５  ユーザ切り替えのアイコン
【図１】
2005292325.tif 000003
【図２】
2005292325.tif 000004
【図３】
2005292325.tif 000005
【図４】
2005292325.tif 000006
【図５】
2005292325.tif 000007
【図６】
2005292325.tif 000008
【図７】
2005292325.tif 000009
【図８】
2005292325.tif 000010
【図９】
2005292325.tif 000011
【図１０】
2005292325.tif 000012
【図１１】
2005292325.tif 000013
【図１２】
2005292325.tif 000014
【図１３】
2005292325.tif 000015
【図１４】
2005292325.tif 000016
【図１５】
2005292325.tif 000017
【図１６】
2005292325.tif 000018
【図１７】
2005292325.tif 000019
【図１８】
2005292325.tif 000020
【図１９】
2005292325.tif 000021
【図２０】
2005292325.tif 000022